(57)【特許請求の範囲】
【請求項１】
記録媒体を支持し、第１方向に延びると共に前記第１方向に直交する第２方向に延び、水平面および鉛直面に対して傾斜して配置されたベッドと、
前記ベッド上の前記記録媒体にインクを吐出するインクヘッドと、を備え、
前記ベッドは、前記記録媒体を支持する支持面を有し、
前記ベッドの下部に配置され、前記ベッドの前記支持面から突出して前記記録媒体の下端部を支持する支持部材を備え、
前記支持部材はガイドローラである、インクジェット式記録装置。
【請求項２】
記録媒体を支持し、第１方向に延びると共に前記第１方向に直交する第２方向に延び、水平面および鉛直面に対して傾斜して配置されたベッドと、
前記ベッド上の前記記録媒体にインクを吐出するインクヘッドと、
前記第２方向に延びる移動部材と、
前記インクヘッドを保持し、前記第２方向に移動可能なように前記移動部材に設けられたキャリッジと、
前記記録媒体の下端部を前記第１方向に移動可能に支持する支持部材と、を備え、
前記支持部材はガイドローラである、インクジェット式記録装置。
【請求項３】
記録媒体を支持し、左右方向に延びると共に前記左右方向に直交する上下方向に延び、水平面および鉛直面に対して傾斜して配置されたベッドと、
前記ベッド上の前記記録媒体にインクを吐出するインクヘッドと、
前記ベッドの前側に配置されて上下方向に延びる移動部材と、
前記インクヘッドを保持し、前記上下方向に移動可能なように前記移動部材に設けられたキャリッジと、
前記ベッドの上方にて前後方向に延びる連結部材と、を備え、
前記連結部材の一端は前記移動部材に連結され、前記連結部材の他端は、前記ベッドの後方に配置された駆動ベルトに連結され、
前記ベッドは、前記記録媒体を支持する支持面を有し、
前記ベッドの下部に配置され、前記ベッドの前記支持面から突出して前記記録媒体の下端部を支持するガイドローラを備えている、インクジェット式記録装置。
【発明の詳細な説明】
【技術分野】
【０００１】
本発明は、記録媒体を支持するフラットベッドを備えたインクジェット式記録装置に関する。
【背景技術】
【０００２】
従来から、水性インクなどのインクを用いるインクジェット式記録装置が知られている。このようなインクジェット式記録装置として、記録媒体を支持するフラットベッド型プラテンを備えたものがある（例えば、特許文献１参照）。
【０００３】
特許文献１において、フラットベッド型プラテンは板状に形成されている。フラットベッド型プラテンは、装置本体の傾斜した前面に設置されている。これにより、フラットベッド型プラテンは、傾斜された状態で配置されている。
【先行技術文献】
【特許文献】
【０００４】
【特許文献１】特開２００７−９８６３５号公報
【発明の概要】
【課題を解決するための手段】
【０００５】
本発明に係るインクジェット式記録装置は、記録媒体を支持し、第１方向に延びると共に前記第１方向に直交する第２方向に延び、水平面および鉛直面に対して傾斜して配置されたベッドと、前記ベッド上の前記記録媒体にインクを吐出するインクヘッドと、を備え、前記ベッドは、前記記録媒体を支持する支持面を有し、前記ベッドの下部に配置され、前記ベッドの前記支持面から突出して前記記録媒体の下端部を支持する支持部材を備え、前記支持部材はガイドローラである。
【図面の簡単な説明】
【０００６】
【図１】（ａ）は本発明の一実施形態に係るインクジェットプリンタの正面図であり、（ｂ）は（ａ）のインクジェットプリンタの側面図である。
【図２】本発明の一実施形態に係る回動機構の図である。
【図３】本発明の一実施形態に係る移動部材を移動させる駆動機構の図である。
【図４】本発明の一実施形態に係る支持部材であるガイドローラの側面図である。
【図５】本発明の一実施形態に係るインクチューブの引き回しの図である。
【図６】本発明の一実施形態に係るインクチューブの引き回しの他の図である。
【図７】本発明の一実施形態に係る押え部材の側面図である。
【図８】（ａ）は本発明の一実施形態に係る水平に配置されたフラットベッドを搬入することができない状態を示す図であり、（ｂ）は水平面に対して傾斜されたフラットベッドを搬入することができる状態を示す図である。
【図９】（ａ）は本発明の他の実施形態に係るインクジェットプリンタの正面図であり、（ｂ）は（ａ）のインクジェットプリンタの側面図である。
【発明を実施するための形態】
【０００７】
以下、本発明の一実施形態について図面を参照しながら説明する。本実施形態に係るインクジェット式記録装置は、記録媒体としての記録紙Ｋに印刷を行うインクジェットプリンタ１００である。以下の説明では、左、右、上、下とは、図１（ａ）のインクジェットプリンタ１００の正面にいる作業者から見た左、右、上、下をそれぞれ意味することとする。また、インクジェットプリンタ１００から上記作業者に近づく方を前方、遠ざかる方を後方とする。図中の符号Ｆ、Ｒｅ、Ｌ、Ｒ、Ｕ、Ｄは、それぞれ前、後、左、右、上、下を表している。但し、これらは説明の便宜上の方向に過ぎず、本実施形態に係るインクジェットプリンタ１００の設置態様を何ら限定するものではない。記録紙Ｋは、左右方向である方向Ｘに延びるとともに当該方向Ｘに直交する方向Ｙに延びている。なお、方向Ｙは、方向Ｘに直交していればよく、記録媒体を支持する後述のフラットベッド１の支持面に沿った方向である。例えば、図１（ｂ）に示すようにフラットベッド１が傾斜されているときには、方向Ｙは傾斜した方向となり、フラットベッド１が水平面に対して垂直に配置されているときには、方向Ｙは垂直方向となる。上記の方向Ｘが第１方向に対応し、方向Ｙが第２方向に対応する。なお、上記記録媒体は、他のシート状の記録媒体、例えば樹脂製のシート等であってもよい。また、記録媒体は、可撓性を有するシート状のものに限らず、ガラス基板等の硬い記録媒体であってもよい。
【０００８】
図１（ａ），（ｂ）に示すように、インクジェットプリンタ１００は、平板状のフラットベッド１と、土台２と、回動機構３と、移動部材４と、一対のガイドレール５と、キャリッジ６と、インクヘッド７と、吸引機構８と、を備えている。
【０００９】
図１（ａ）に示すように、フラットベッド１は、記録紙Ｋを支持するものである。フラットベッド１は、方向Ｘに延びるとともに方向Ｙに延びている。フラットベッド１は、矩形状に形成されている。本実施形態では、フラットベッド１の方向Ｘにおける長さは、方向Ｙにおける長さよりも長くなっている。フラットベッド１は、中空の板状に形成されている。フラットベッド１は、内部空間１ｂ（図３参照）を有している。フラットベッド１は、記録紙Ｋを支持する支持面１ｃ２を有する支持板材１ｃと、この支持板材１ｃに対向して配置された裏側板材１ｄと、内部空間１ｂを複数の分割空間１ｅに仕切る複数の仕切り部材１ｆと、を備えている。支持板材１ｃには、図３に示すように、内部空間１ｂに連通した複数の吸引孔１ａが形成されている。各吸引孔１ａは、それぞれ格子状に配置されている。吸引孔１ａは、支持板材１ｃの支持面１ｃ２の方に開口している。仕切り部材１ｆは、方向Ｙに延びている。仕切り部材１ｆは、例えば２つ設けられている。これによって、フラットベッド１の内部空間１ｂは、方向Ｘ、すなわち左右方向に並ぶ３つの分割空間１ｅに分割されている。吸引孔１ａは分割空間１ｅに連通している。フラットベッド１は、回動機構３により回動するように構成されている。これにより、フラットベッド１は、水平面ＨＳに対して平行に配置され、または水平面ＨＳに対して傾斜して配置され、または水平面ＨＳに対して垂直に配置される。フラットベッド１が水平面ＨＳに対して傾斜して配置されたとき、傾斜角度θは鋭角とする。なお、図１（ａ），（ｂ）は、フラットベッド１が傾斜された状態を示している。
【００１０】
土台２は、フラットベッド１の下方に配置されている。土台２の下部には、当該土台２を支持する４本の脚部９が設けられている。各脚部９は、それぞれ土台４の下面部の四隅に配置されている。土台２には、フラットベッド１の配置角度を調整するために当該フラットベッド１を回動方向ＫＨ（図１（ｂ）参照）に回動させる回動機構３が設けられている。
【００１１】
図２に示すように、回動機構３は、シャフト２０と、回動ギア２１と、駆動ギア２２と、ハンドル２３と、を備えている。シャフト２０は水平に延びている。シャフト２０は、土台２の壁部２ａの内部に設けられた軸受け２ｂに挿通されている。シャフト２０の一端は、ハウジング支持部材５３にキーなどにより固定されている。このハウジング支持部材５３は、フラットベッド１（図１（ａ）参照）に連結された後述のハウジング４１（図３参照）に固定されている。シャフト２０の他端は、回動ギア２１に接続されている。土台２の側面部には、Ｌ字状のステー２４が設けられている。このステー２４は、垂直壁２４ａを備えている。ステー２４の垂直壁２４ａに回動軸２５が回動可能に挿通されている。回動軸２５の一端は、土台２の壁部２ａに設けられた軸受け２ｃに挿入されている。回動軸２５の他端は、仲介部材２６および連結軸２６ａを介してハンドル２３に連結されている。また、駆動ギア２２は、回動軸２５に取り付けられている。駆動ギア２２は、上記の回動ギア２１に噛合されている。駆動ギア２２と回動ギア２１とのギア比は１よりも大きい。このような構成において、作業者がハンドル２３を把持して当該ハンドル２３を回動させると、仲介部材２６および回動軸２５を介して駆動ギア２２が回動する。そのため、駆動ギア２２の回動に伴って回動ギア２１が回動する。回動ギア２１が回動すると、回動ギア２１と一体のシャフト２０が回動する。このため、ハウジング支持部材５３は、シャフト２０の回動に伴って回動する。したがって、フラットベッド１は、シャフト２０を中心に回動するようになっている。これによって、フラットベッド１は、傾斜姿勢と、水平姿勢と、鉛直姿勢と、をとることができる。以上により、作業者がハンドル２３を操作することによって、フラットベッド１は、傾斜姿勢、水平姿勢および鉛直姿勢をとる。なお、フラットベッド１は、鉛直姿勢から、当該鉛直姿勢時の上端が後方に向かうように回動することによって、傾斜姿勢または水平姿勢をとるようになっている。
【００１２】
一対のガイドレール５は、フラットベッド１に設けられている。一対のガイドレール５は、方向Ｘに延びている。一方のガイドレール５は、他方のガイドレール５と間隔を空けて設けられている。一方のガイドレール５の長さと他方のガイドレール５の長さとは同じになっている。
【００１３】
図１（ａ），（ｂ）に示すように、移動部材４は、方向Ｙに延びている。移動部材４は、レール状に形成されている。移動部材４は、一対のガイドレール５に係合されている。移動部材４の一端部は、一方のガイドレール５に係合されている。移動部材４の他端部は、他方のガイドレール５に係合されている。移動部材４は、一対のガイドレール５上を摺動することにより、方向Ｘに沿って移動する。なお、移動部材４を方向Ｘに移動させる駆動機構については後で詳述する。
【００１４】
キャリッジ６は、移動部材４に設けられている。キャリッジ６は、インクヘッド７を保持している。キャリッジ６は、移動部材４に設けられたベルト６ａに固定されている。ベルト６ａは無端ベルトである。ベルト６ａは方向Ｙに延びている。ベルト６ａの一端および他端には、図示しないプーリがそれぞれ巻き掛けられている。一方のプーリは、当該プーリを駆動する図示しないモータに接続されている。このモータが回転すれば、上記プーリが回転してベルト６ａが駆動する。それにより、ベルト６ａは方向Ｙに走行する。これにより、キャリッジ６は方向Ｙに移動する。したがって、キャリッジ６に保持されたインクヘッド７は方向Ｙに移動する。
【００１５】
インクヘッド７は、図１（ａ）および図３に示すように、インクチューブ１０を介してインクカートリッジ１１に接続されている。図１（ａ）に示すように、本実施形態では、４つのインクカートリッジ１１が設けられている。各インクカートリッジ１１には、それぞれイエロー（Ｙ）、マゼンタ（Ｍ）、シアン（Ｃ）、およびブラック（Ｋ）のインクが収容されている。各インクカートリッジ１１に接続されたインクチューブ１０がそれぞれインクヘッド７に接続されている。各インクチューブ１０の中途部分は、図３に示すように、ステー１３上に設けられた屈曲可能なインクチューブガイド１２にそれぞれ挿通されている。図１（ａ），（ｂ）に示すように、インクヘッド７の待機位置（ホームポジションとも呼ばれる）Ｐは、フラットベッド１が傾斜して配置された状態のときに、インクヘッド７の下端がフラットベッド１に支持された記録紙Ｋの下端よりも低くなる位置でかつ記録紙Ｋの方向Ｘにおける一端、すなわち記録紙Ｋの左端ＫＬの外側の位置となっている。なお、インクヘッド７の待機位置Ｐを、記録紙Ｋの左端ＫＬの外側の位置とする代わりに、当該記録紙Ｋの右端ＫＲの外側の位置にしてもよい。なお、イエロー（Ｙ）、マゼンタ（Ｍ）、シアン（Ｃ）、およびブラック（Ｋ）のインク以外のインクを用いてもよい。
【００１６】
図１（ａ）に示すように、吸引機構８は、吸引装置３０と、吸引ダクト３１とを備えている。吸引ダクト３１の一端は吸引装置３０に接続されている。吸引ダクト３１の他端は、フラットベッド１の裏側板材１ｄ（図１（ｂ）参照）に接続されているとともに、フラットベッド１の内部空間１ｂ（図３参照）に連通している。詳細には、吸引ダクト３１は、３つの分割空間１ｅにそれぞれ連通する３つの分岐ダクト３１ａを備えている。図１（ａ）において、左方の分岐ダクト３１ａ、中央の分岐ダクト３１ａおよび右方の分岐ダクト３１ａには、それぞれバルブ３２が設けられている。バルブ３２は例えば電磁弁である。このような構成において、バルブ３２により全ての流路が開放されているときには、吸引装置３０によって全ての分割空間１ｅの空気が吸引される。これにより、各分割空間１ｅに連通する吸引孔１ａを介して記録紙Ｋが吸引保持されるようになっている。一方、バルブ３２により一部の流路のみ開放されているときには、吸引装置３０によって一部の分割空間１ｅの空気が吸引される。これにより、前記一部の分割空間１ｅに連通する吸引孔１ａのみを介して記録紙Ｋが吸引保持される。
【００１７】
本実施形態では、図１（ａ）に示すように、供給軸３３にロール状に捲回された記録紙Ｋが設けられている。このような記録紙Ｋは、一般にロールメディアと呼ばれ、フラットベッド１に支持させるときに供給軸３３から供給される。供給軸３３は方向Ｙに延びている。供給軸３３は、フラットベッド１の右部に設けられている。詳細には、供給軸３３は、フラットベッド１に支持された記録紙Ｋの方向Ｘにおける他端、すなわち記録紙Ｋの右端ＫＲの外側に配置されている。
【００１８】
図１（ａ）に示すように、フラットベッド１には、記録紙Ｋを支持板材１ｃの方に押える複数の押え部材３４と、当該記録紙Ｋの端部を支持する複数の支持部材３５と、が設けられている。押え部材３４は、フラットベッド１が傾斜されたとき、またはフラットベッド１が鉛直に配置されたときに、フラットベッド１の上部となる位置に設けられている。各押え部材３４は、方向Ｘに沿って互いに間隔を空けてそれぞれ設けられている。押え部材３４として、例えば、記録紙Ｋを押える位置と当該記録紙Ｋを押えない位置との間で回動可能に構成されたヒンジを採用するとよい。ヒンジを採用する場合、図７に示すように、押え部材３４は、フラットベッド１が傾斜されたとき、またはフラットベッド１が鉛直に配置されたときに、当該フラットベッド１に支持された記録紙Ｋの上端よりも上方に位置する本体部材３４ａと、回動部材３４ｂと、トーションスプリング３４ｃとを備えている。回動部材３４ｂは、本体部材３４ａに設けられ、水平軸回りに回動可能に構成されている。回動部材３４ｂは、トーションスプリング３４ｃにより図７において時計回りに回動する方向に付勢されている。これにより、フラットベッド１に支持された記録紙Ｋの上端が回動部材３４ｂによってフラットベッド１の方に押え付けられている。
【００１９】
図４に示すように、支持部材３５は、例えばガイドローラである。支持部材３５は、記録紙Ｋの端部を支持しつつ、回転することにより当該記録紙Ｋのフラットベッド１上の移動を案内する機能を有している。支持部材３５は、フラットベッド１が傾斜されたとき、またはフラットベッド１が水平面に対して９０度をなすように配置されたときに、フラットベッド１の下部となる位置に設けられている。各支持部材３５は、方向Ｘに沿って互いに間隔を空けてそれぞれ設けられている。支持板材１ｃには、凹部１ｃ１が形成されている。この凹部１ｃ１には、ベース部材３６と、当該ベース部材３６に固定された軸部材３７とが設けられている。支持部材３５は、軸部材３７の軸回りに回転可能に当該軸部材３７に接続されている。支持部材３５は、フラットベッド１の支持板材１ｃから突出して設けられている。支持部材３５の支持板材１ｃからの突出高さをＤ１とし、記録紙Ｋの厚みをＴとするとき、Ｄ１＜Ｔの関係が成立する。
【００２０】
次に、移動部材４を方向Ｘに移動させる駆動機構４０について説明する。図３に示すように、駆動機構４０は、断面凹状のハウジング４１と、断面Ｌ字状の支持部材４２，４３と、一対のシャフト４４と、駆動モータ４５と、小ギア４６ａおよび大ギア４６ｂを含むギア４６と、一対のプーリ４７と、駆動ベルト４８と、連結部材４９と、を備えている。各シャフト４４は、それぞれフラットベッド１の左側および右側に配置されている。同様に、各プーリ４７は、それぞれフラットベッド１の左側および右側に配置されている。
【００２１】
ハウジング４１は、フラットベッド１が水平面に対して９０度をなすように配置されたときに、前方に向けて凹状となるように配置される。以下の図３の説明においては、フラットベッド１が水平面に対して９０度をなすように配置されている状態（図３の状態）を前提とする。ハウジング４１の下部は、上述のハウジング支持部材５３に固定されている。ハウジング支持部材５３には、前方に延びる板状のカートリッジ保持部材５４が設けられている。このカートリッジ保持部材５４は、インクカートリッジ１１を保持する。これにより、ハウジング支持部材５３の回動時には、インクカートリッジ１１はハウジング支持部材５３の回動に追随するようになっている。支持部材４２は、ハウジング４１の上部に固定されている。支持部材４３は、ハウジング４１の下部に固定されている。支持部材４２の前部は、フラットベッド１の上端部に固定されている。支持部材４３の前部は、フラットベッド１の下端部に固定されている。ハウジング４１上において支持部材４２の下方に軸受け部材５０が設けられている。また、ハウジング４１上において支持部材４３の上方に軸受け部材５１が設けられている。シャフト４４は、上下方向に延びている。シャフト４４の上部は、軸受け部材５０に挿通されているとともに、支持部材４２の孔部に挿通されている。シャフト４４の下部は、軸受け部材５１に挿通されているとともに、支持部材４３の孔部に挿通されている。なお、他方のシャフト４４の支持構造も同様である。
【００２２】
ギア４６の小ギア４６ａは、駆動モータ４５の回転軸４５ａに同軸状に接続されている。大ギア４６ｂは、小ギア４６ａに噛合されている。大ギア４６ｂは、シャフト４４の中途部に同軸状に接続されている。駆動モータ４５は、ハウジング４１上に設けられたステー５２に設けられている。シャフト４４の上端部には、プーリ４７が設けられている。駆動ベルト４８は無端ベルトである。駆動ベルト４８は、左側のプーリ４７と右側のプーリ４７（図示せず）とに巻き掛けられている。移動部材４は、方向Ｙに延びる本体部材４ａと、Ｌ字状の摺動部材４ｂ，４ｃと、を備えている。摺動部材４ｂは、本体部材４ａの上端部に固定されている。摺動部材４ｃは、本体部材４ａの下端部に固定されている。摺動部材４ｂは上方のガイドレール５に係合され、当該ガイドレール５上を摺動可能となっている。摺動部材４ｃは下方のガイドレール５に係合され、当該ガイドレール５上を摺動可能となっている。連結部材４９は、前後方向に延びている。連結部材４９の後端は、駆動ベルト４８に固定されている。連結部材４９の前端は、上記の摺動部材４ｂに接続されている。以上のような構成において、駆動モータ４５が回転すると、ギア４６を介して一方のシャフト４４が当該シャフト４４の軸回りに回転するので、プーリ４７が回転する。このため、駆動ベルト４８が走行する。したがって、駆動ベルト４８の走行に伴って、移動部材４は、連結部材４９を介して方向Ｘ（図１（ａ）参照）に沿って移動する。
【００２３】
図５はフラットベッド１が図１の状態にあるときにインクチューブ１０を下方から見た場合の図であり、図６はフラットベッド１が図１の状態にあるときにインクチューブ１０を図５の矢印Ｇの方向から見た場合の図である。図５に示すように、インクチューブ１０は、Ｕ字状に引き回されている。インクチューブ１０は、方向Ｘに延びる第１部分１０ａと、第１部分１０ａに対向し、方向Ｘに延びる第２部分１０ｂとを含む。これにより、インクチューブ１０は、インクヘッド７が方向Ｘに移動する際に、インクチューブ１０がインクヘッド７の移動に追随するようになっている。また、図６に示すように、インクチューブ１０は、方向Ｙに延びる第３部分１０ｃを含む。これにより、インクチューブ１０は、インクヘッド７が方向Ｙに移動する際に、インクチューブ１０がインクヘッド７の移動に追随する。
【００２４】
以上のように、本実施形態によれば、フラットベッド１の配置角度を回動機構３により調整することができる。これにより、記録紙Ｋをフラットベッド１にセットする際には、当該フラットベッド１を水平に配置または比較的小さい傾斜角度で配置することができる。このため、記録紙Ｋを容易にセットすることができる。これにより、記録紙Ｋをセットする際に当該記録紙Ｋに生じる反りが抑制されるので、印字品質を低下させることがない。また、狭小なスペースにインクジェットプリンタ１００を搬送する際には、フラットベッド１を傾斜させ、または鉛直に配置して、インクジェットプリンタ１００の幅（つまり、前後方向の長さ）を小さくすることができる。具体例で説明すると、図８（ａ）に示すように、扉７０が開けられた入口７１の幅をＷ１とし、フラットベッド１が水平状態にあるときのインクジェットプリンタ１００の幅（つまり、前後方向の長さ）をＷ２とする。この場合、Ｗ２＞Ｗ１であるときには、上記インクジェットプリンタ１００は図８（ａ）の状態で入口７１を通過することができない。これに対して、図８（ｂ）に示すように、フラットベッド１を傾斜させたときのインクジェットプリンタ１００の幅（つまり、前後方向の長さ）をＷ３とするとき、Ｗ３＜Ｗ１となる。これにより、上記インクジェットプリンタ１００は入口７１を通過することができる。このように、インクジェットプリンタ１００の幅を小さくすることができるので、搬入し易さが著しく向上する。さらに、記録紙Ｋに応じて、具体的には記録紙Ｋの硬さに応じて、記録紙Ｋを適切な角度で配置することができる。それにより、例えば比較的大きい傾斜角度に傾斜されたフラットベッド１に記録紙Ｋをセットする際に、撓み易い記録紙Ｋがフラットベッド１から落下してしまうようなことを防ぐことができる。
【００２５】
本実施形態によれば、キャリッジ６は、移動部材４において方向Ｙに移動可能に設けられている。また、移動部材４は、ガイドレール５上を方向Ｘに沿って移動する。以上により、フラットベッド１に支持された記録紙Ｋに対してインクヘッド７を２つの方向に移動させることができる。すなわち、記録紙Ｋに対してインクヘッド７を２次元的に移動させることができ、記録紙Ｋの任意の箇所にインクを吐出することができる。
【００２６】
また、本実施形態によれば、インクヘッド７のホームポジション、つまりインクヘッド７の待機位置は、フラットベッド１が水平面に対して９０度をなすように配置されたときに、インクヘッド１の下端がフラットベッド１に支持された記録紙Ｋの下端よりも低くなる位置で、かつ前記記録紙Ｋの左端ＫＬの外側の位置に設定されている。これにより、傾斜された状態または水平面に垂直な状態のフラットベッド１に記録紙Ｋをセットする際には、フラットベッド１の上方から記録紙Ｋをセットし易くなる。
【００２７】
また、本実施形態によれば、インクチューブ１０は、方向Ｘに延びる第１部分１０ａと、第１部分１０ａに対向し、方向Ｘに延びる第２部分１０ｂとを含む。また、インクチューブ１０は、方向Ｙに延びる第３部分１０ｃを含む。このような構成により、インクヘッド７を方向Ｘおよび方向Ｙの２つの方向に移動させる際に、インクチューブ１０をインクヘッド７の移動に追随させ易くなる。
【００２８】
また、本実施形態によれば、記録紙Ｋとして、いわゆるロールメディアを用いることができる。また、このようなロールメディアである記録紙Ｋが捲回された供給軸３３の位置を、フラットベッド１に支持された記録紙Ｋの右端ＫＲの外側に設定することにより、当該右端ＫＲの外側のスペースを有効利用することができる。
【００２９】
また、本実施形態によれば、フラットベッド１に支持された記録紙Ｋが吸引孔１ａおよび吸引ダクト３１を介して吸引装置３０に吸引される。これにより、フラットベッド１に対する記録紙Ｋの位置ずれが生じることを防ぐことができる。特に、傾斜された状態または水平面に垂直な状態のフラットベッド１に記録紙Ｋが支持されているときには、記録紙Ｋが倒れたり、落下してしまうことを防ぐことができる。
【００３０】
また、本実施形態によれば、吸引ダクト３１は、フラットベッド１の裏側板材１ｄに接続されている。これにより、フラットベッド１が傾斜された状態のとき、またはフラットベッド１が水平面に垂直に配置された状態のときに裏側板材１ｄの方に生じるデッドスペースを有効利用することができる。
【００３１】
また、本実施形態によれば、フラットベッド１の各分割空間１ｅにそれぞれ連通した各分岐ダクト３１ａの流路をバルブ３２により開放および閉鎖するようになっている。これにより、全ての分岐ダクト３１ａに空気が流入するようにすることができ、フラットベッド１の内部空間１ｂ全域に空気を供給することができる。これによって、水平面に垂直に配置されたフラットベッド１や傾斜されたフラットベッド１に支持された記録紙Ｋであっても、十分な吸引力によって保持することができる。一方、一部の分岐ダクト３１ａのみに空気が流入するようにすることもできる。これによって、フラットベッド１の面積よりも小さい記録紙Ｋを吸引するときに、分岐ダクト３１ａへの空気の供給が一部で済むため、吸引装置３０の消費電力を低減することができる。
【００３２】
また、本実施形態によれば、支持部材３５により記録紙Ｋの下端部を支持することができる。これにより、フラットベッド１に対する記録紙Ｋの位置決めを行い易くなる。
【００３３】
また、本実施形態によれば、支持部材３５としてガイドローラを採用することができる。このようなガイドローラにより記録紙Ｋの端部を支持することができる。これにより、記録紙Ｋを移動させ易くなり、フラットベッド１に対する記録紙Ｋの位置決めをより行い易くなる。
【００３４】
また、本実施形態によれば、支持部材３５の支持板材１ｃからの突出高さは、記録紙Ｋの厚みよりも小さくなっている。これにより、記録紙Ｋに対する記録時に、インクヘッド７が支持部材３５に接触してしまう可能性を低減することができる。
【００３５】
また、本実施形態によれば、回動機構３は、フラットベッド１が水平の状態と当該フラットベッド１が鉛直の状態との間でフラットベッド１を回動させるように構成されている。これによって、フラットベッド１に対する記録紙Ｋの配置し易さの向上やインクジェットプリンタ１００の搬送し易さの向上の観点において、フラットベッド１の回動角度を必要最低限とすることができる。
【００３６】
また、本実施形態によれば、作業者はハンドル２３を操作することによって、フラットベッド１の配置角度を容易に調整することができる。
【００３７】
以上、本発明の実施形態について説明した。しかし、上述の実施形態は例示に過ぎず、本発明は他の種々の形態で、例えば以下のように実施することが可能である。
【００３８】
上記実施形態では、ガイドレール５を方向Ｘに沿って設け、移動部材４を方向Ｘに移動させるようにしたが、これに限定されるものではない。図９（ａ）に示すように、ガイドレール５を方向Ｙに沿って設け、移動部材４を方向Ｙに移動させるようにしてもよい。この場合、記録紙Ｋを当該記録紙Ｋの厚み方向に押える押え部材６０を移動部材４に設けるようにしてもよい。このような押え部材６０は、移動部材４に固定されたＬ字状の支持部材６１と、支持部材６１に設けられた押え球６２とを備えている。この押え球６２が記録紙Ｋに接触することで、記録紙Ｋがフラットベッド１に押し付けられるようになっている。これによって、印字時に記録紙Ｋがフラットに維持され易くなる。これにより、印字品質が損なわれることが防止されるとともに、記録紙Ｋに反りが生じることが抑制される。このため、反りの生じた記録紙Ｋがインクヘッド７を傷つける可能性が低減され、生産性が向上する。なお、図９（ａ），（ｂ）は、フラットベッド１が水平面に対して９０度をなすように配置されている状態を示している。
【００３９】
また、上記実施形態では、フラットベッド１が傾斜されたとき、または水平面に垂直に配置された状態のときに当該フラットベッド１の上部となる位置に押え部材３４を設けるようにしたが、これに限定されるものではない。押え部材３４をフラットベッド１の左部または右部に設けるようにしてもよい。
【００４０】
また、上記実施形態では、複数の押え部材３４を設けるようにしたが、これに限定されるものではない。方向Ｘに延びた単一の押え部材を採用するようにしてもよい。
【００４１】
また、上記実施形態では、ハンドル２３の回転力を伝えるギアの組み合わせとして、回動ギア２１と駆動ギア２２とを設けるようにしたが、これに限定されるものではない。ハンドル２３の回転力を、例えばウォームギアによってシャフト２０に伝達するようにしてもよい。
【００４２】
また、上記実施形態では、フラットベッド１の内部空間１ｂを３つの分割空間１ｅに分けるようにしたが、これに限定されるものではない。フラットベッド１の内部空間１ｂを３つ未満または４つ以上の分割空間１ｅに分けるようにしてもよいし、上記内部空間１ｂを分けなくてもよい。
【００４３】
また、上記実施形態では、図３において説明したように、シャフト４４の上端部のみにプーリ４７を設けて、駆動ベルト４８により移動部材４を移動させるようにしたが、これに限定されるものではない。シャフト４４の下端部にもプーリ４７を設け、当該プーリ４７に別の駆動ベルト４８を巻き掛けるようにしてもよい。そして、前記別の駆動ベルト４８に移動部材４の下部を連結するようにしてもよい。このような構成により、２つの駆動ベルト４８によって、移動部材４をより安定して移動させることができる。
【００４４】
また、上記実施形態では、各吸引孔１ａをそれぞれ規則的に配置するようにしたが、これに限定されるものではない。各吸引孔１ａをそれぞれ不規則に配置するようにしてもよい。
【００４５】
また、上記実施形態では、ロールメディアである記録紙Ｋが捲回された供給軸３３をフラットベッド１に支持された記録紙Ｋの右端ＫＲの外側に設けるようにした。これに伴って、記録紙Ｋの左端ＫＬの外側に、記録紙Ｋを巻き取る巻き取り装置を設けるようにしてもよい。
【００４６】
また、上記実施形態では、ガイドレール５をフラットベッド１に設けるようにしたが、これに限定されるものではない。ガイドレール５をフラットベッド１以外の部分に設けるように構成してもよい。
【００４７】
また、上記実施形態では、一対のガイドレール５を方向Ｘに延在させるとともに移動部材４を方向Ｙに延在させることとしたが、これに限定されるものではない。一対のガイドレール５を方向Ｙに延在させるとともに移動部材４を方向Ｘに延在させるようにしてもよい。
【００４８】
上記の実施形態および前述の変形例は、適宜に組み合わせてもよい。
【００４９】
（他の発明）
前述の従来の技術では、記録媒体をフラットベッド型プラテンにセットする際に、当該記録媒体を持ち上げて、フラットベッド型プラテンに立て掛ける必要がある。そのため、記録媒体をセットするのが容易でない。このため、作業者が記録媒体を容易にセットできるインクジェット式記録装置が望まれていた。また、記録媒体が反り易い材質であるときには、フラットベッド型プラテンにセットする際に反ってしまう恐れがある。そのため、反った記録媒体に対してインクを着弾する際に、着弾位置が所定位置からずれてしまう。その結果、印字品質が低下してしまう問題があった。
【００５０】
他の発明はかかる点に鑑みてなされたものであり、その目的は、記録媒体を容易にセットすることができ、記録媒体の反りを抑制することによって印字品質を低下させることがないインクジェット式記録装置を提供することである。
【００５１】
第１のインクジェット式記録装置は、
記録媒体を支持する平板状のベッドと、
前記ベッド上の前記記録媒体にインクを吐出するインクヘッドと、
前記ベッドおよび前記インクヘッドを共に水平軸回りに回動させる回動機構と、を備えた、インクジェット式記録装置である。
【００５２】
第２のインクジェット式記録装置は、
前記ベッドは、第１方向に延びると共に前記第１方向に直交する第２方向に延び、
前記第１方向に延びる一対のガイドレールと、
前記第２方向に延び、前記一対のガイドレールに係合され前記一対のガイドレール上を摺動することにより前記第１方向に移動可能な移動部材と、
前記インクヘッドを保持し、前記第２方向に移動可能に前記移動部材に設けられたキャリッジと、をさらに備えた、前記第１のインクジェット式記録装置である。
【００５３】
第３のインクジェット式記録装置は、
前記インクヘッドの待機位置は、前記ベッドが傾斜して配置されたときに、前記インクヘッドの下端が前記ベッドに支持された前記記録媒体の下端よりも低くなる位置で、かつ、前記記録媒体の前記第１方向における一端の外側の位置である、前記第２のインクジェット式記録装置である。
【００５４】
第４のインクジェット式記録装置は、
前記インクヘッドに連結されたインクチューブをさらに備え、
前記インクチューブは、前記第１方向に延びる部分と、前記第２方向に延びる部分と、を含む、前記第２または第３のインクジェット式記録装置である。
【００５５】
第５のインクジェット式記録装置は、
前記ベッドに支持された前記記録媒体の前記第１方向における他端の外側に、前記記録媒体がロール状に捲回された供給軸が設けられた、前記第３または第４のインクジェット式記録装置である。
【００５６】
第６のインクジェット式記録装置は、
前記ベッドが鉛直に配置された場合に、前記第１方向は上下方向となり、前記移動部材に設けられ、前記記録媒体を当該記録媒体の厚み方向に押える押え部材をさらに備えた、前記第２〜５のいずれか１つのインクジェット式記録装置である。
【００５７】
第７のインクジェット式記録装置は、
前記ベッドには仕切られた内部空間が形成され、
前記ベッドは、前記記録媒体を支持し、前記内部空間に連通した複数の吸引孔が形成された支持板材を備え、
前記内部空間に連通した吸引ダクトを有する吸引装置をさらに備えた、前記第１〜６のいずれか１つのインクジェット式記録装置である。
【００５８】
第８のインクジェット式記録装置は、
前記ベッドは、前記支持板材に対向して配置された裏側板材を備え、
前記吸引ダクトは、前記裏側部材に接続されている、前記第７のインクジェット式記録装置である。
【００５９】
第９のインクジェット式記録装置は、
前記ベッドは、前記内部空間を複数の分割空間に仕切る１または複数の仕切り部材を備え、
前記吸引ダクトは、各前記分割空間にそれぞれ連通する複数の分岐ダクトを備え、
各前記分岐ダクトの分岐点において前記各分岐ダクトの流路をそれぞれ開放および閉鎖するバルブが設けられた、前記第７または第８のインクジェット式記録装置である。
【００６０】
第１０のインクジェット式記録装置は、
前記ベッドは、前記記録媒体を支持する支持面を有し、
前記ベッドが水平面に対して傾斜されたとき、または前記ベッドが鉛直に配置されたときに前記ベッドの下部に位置し、前記ベッドの前記支持面から突出して前記記録媒体の下端部を支持する支持部材をさらに備えた、前記第１〜９のいずれか１つのインクジェット式記録装置である。
【００６１】
第１１のインクジェット式記録装置は、
前記支持部材は、ガイドローラである、前記第１０のインクジェット式記録装置である。
【００６２】
第１２のインクジェット式記録装置は、
前記支持部材の前記ベッドの前記支持面からの突出高さは、前記記録媒体の厚みよりも小さい、前記第１０または第１１のインクジェット式記録装置である。
【００６３】
第１３のインクジェット式記録装置は、
前記回動機構は、前記ベッドが水平の状態と前記ベッドが鉛直の状態との間で前記ベッドを回動させるように構成されている、前記第１〜１２のいずれか１つのインクジェット式記録装置である。
【００６４】
第１４のインクジェット式記録装置は、
前記回動機構は、前記ベッドに連結されたシャフトと、前記シャフトに設けられた回動ギアと、前記回動ギアに噛合された駆動ギアと、前記駆動ギアに連結されたハンドルと、を備えた、前記第１〜１３のいずれか１つのインクジェット式記録装置である。
【００６５】
前記他の発明に係るインクジェット式記録装置によれば、ベッドを水平面に対して任意の角度に傾斜させることができる。これにより、記録媒体をベッドにセットする際には、当該ベッドを水平面に対して平行もしくは比較的小さい傾斜角度で配置することができる。このため、記録媒体を容易にセットすることができる。これにより、記録媒体をセットする際に当該記録媒体に生じる反りが抑制されるので、印字品質を低下させることがない。また、狭小なスペースにインクジェット式記録装置を搬送する際には、ベッドを起こすことによって、インクジェット式記録装置の幅を小さくすることができる。これによって、搬入し易さが向上する。さらに、記録媒体に応じて、具体的には記録媒体の硬さ等に応じて、記録媒体を適切な角度で配置することができる。それにより、例えば比較的大きい傾斜角度に傾斜されたベッドに記録媒体をセットする際に、撓み易い記録媒体（例えば紙など）がベッドから落下してしまうようなことを防ぐことができる。なお、前記平板状のベッドとは、当該ベッド上にシールを貼る等してベッド面に凸部が形成されたり、模様を形成する等の目的で上記ベッド面に凹部が形成されたとしても、ベッド上に記録媒体を配置するのに支障がない程度にベッド上に凹凸が形成されたものをも含む意である。
【００６６】
前記他の発明によれば、記録媒体を容易にセットすることができ、記録媒体の反りを抑制することによって印字品質を低下させることがないインクジェット式記録装置を提供することができる。
【符号の説明】
【００６７】
１    フラットベッド（ベッド）
１ａ  吸引孔
１ｂ  内部空間
１ｃ  支持板材
１ｃ２  支持面
１ｄ  裏側板材
１ｅ  分割空間
１ｆ  仕切り部材
３    回動機構
４    移動部材
５    ガイドレール
６    キャリッジ
７    インクヘッド
８    吸引機構
１０  インクチューブ
１０ａ，１０ｂ  方向Ｘ（第１方向）に延びる部分
２０  シャフト（水平軸）
２１  回動ギア
２２  駆動ギア
２３  ハンドル
３０  吸引装置
３１  吸引ダクト
３１ａ  分岐ダクト
３２  バルブ
３３  供給軸
３４  押え部材
３５  支持部材
６０  押え部材
１００  インクジェットプリンタ（インクジェット式記録装置）
Ｋ    記録紙（記録媒体）
Ｐ    待機位置
Ｘ    方向（第１方向）
Ｙ    方向（第２方向）
【図１】
0006449973.tif 000002
【図２】
0006449973.tif 000003
【図３】
0006449973.tif 000004
【図４】
0006449973.tif 000005
【図５】
0006449973.tif 000006
【図６】
0006449973.tif 000007
【図７】
0006449973.tif 000008
【図８】
0006449973.tif 000009
【図９】
0006449973.tif 000010